(57)【要約】【課題】被制御対象の機器が実際に動作を開始するまでの時間の短縮化が図れるとともに、低消費電力化が図れるリモコン送信器を提供する。【解決手段】長押しが可能な操作ボタンであるスイッチＳＷ−Ｇと、このスイッチＳＷ−Ｇの操作に応じて、照明器具１０１を動作させるための複数の信号Ｓ１〜Ｓ１１の送信を制御する送信制御部１０と、を備え、送信制御部１０は、スイッチＳＷ−Ｇが押下された時点で最初の信号Ｓ１を送信し、長押し確定時間経過後に最後の信号Ｓ１１を送信し、長押し確定時間経過前にスイッチＳＷ−Ｇの操作が中断された場合には信号の送信を停止する。これにより、照明器具１０１の不要な動作を起こさせること無く、照明器具１０１の動作開始までの時間の短縮化が図れる。また、照明器具１０１の動作開始までの時間の短縮化が図れることで省電力化も可能となる。【選択図】図５
2014146923.tif 000002
【特許請求の範囲】
【請求項１】
長押しが可能な操作ボタンと、
前記操作ボタンの操作に応じて、少なくとも最初の信号と最後の信号とを含み所定の機能を実行させるための複数の信号の送信を制御する送信制御部と、を備え、
前記送信制御部は、
前記操作ボタンの操作後、前記操作ボタンの長押しが確定される長押し確定時間経過前に前記最初の信号を送信し、
前記長押し確定時間経過後に前記最後の信号を送信し、
前記長押し確定時間経過前に前記操作ボタンの操作が中断された場合には、前記最後の信号を送信しない、
リモコン送信器。
【請求項２】
請求項１に記載のリモコン送信器であって、
前記送信制御部は、
前記操作ボタンの操作直後に前記最初の信号を送信する、
リモコン送信器。
【請求項３】
請求項１に記載のリモコン送信器であって、
前記送信制御部は、
前記操作ボタンの操作から所定の時間経過後に前記最初の信号を送信する、
リモコン送信器。
【請求項４】
請求項１から請求項３のいずれか一項に記載のリモコン送信器であって、
前記最後の信号の送信完了を報知する報知手段を備え、
前記送信制御部は、
前記最後の信号を送信した後に前記報知手段を起動する、
リモコン送信器。
【請求項５】
請求項４に記載のリモコン送信器であって、
前記報知手段は、液晶表示部である、
リモコン送信器。
【請求項６】
請求項１から請求項５のいずれか一項に記載のリモコン送信器と、
前記リモコン送信器から送信された信号を受信することで動作する照明器具と、を備えた、
照明装置。
【発明の詳細な説明】
【技術分野】
【０００１】
本発明は、例えば赤外線を利用した赤外線通信により被制御装置の操作を行うリモコン送信器に関する。
【背景技術】
【０００２】
従来、エアコン、テレビ、ビデオ再生装置などの家庭電化製品やＡＶ機器などでは、赤外線通信方式によるリモートコントロール制御が行われることが多い。リモートコントロール制御を行うリモートコントロール装置として、例えば特許文献１に記載されたものがある。この特許文献１に記載されたリモートコントロール装置は、無線信号を送信する送信器と、該送信器からの無線信号を受信し、赤外線通信フォーマットの赤外線信号に変換して出力する信号変換手段とを備えた受信器と、該受信器からの赤外線信号を受けて被制御部を制御する制御部と、該制御部と前記受信器を接続するためのコネクタとを備える。
【０００３】
従来のリモートコントロール装置には、長押し可能な操作ボタンを有するリモコン送信器（前述した特許文献１に記載された送信器もこれに該当）を備えたものがある。このリモコン送信器では、長押し可能な操作ボタンが長押しされることで、被制御部にて所定の機能を実行させるための複数の信号の送信を制御する。図９は、長押し可能な操作ボタンが操作されたときの送信信号を示す図である。同図において、長押し可能な操作ボタンが押された操作開始時刻ｔ１から、長押しが確定される長押し確定時刻ｔ２になると、最初の信号Ｓ１が送信され、続いて信号Ｓ２，Ｓ３，…，Ｓｎが送信される。最後の信号Ｓｎが送信された時点で被制御対象の機器が動作を開始する。なお、長押し可能な操作ボタンが押された操作開始時刻ｔ１から長押しが確定される長押し確定時刻ｔ２までの長押し確定時間は例えば１．５秒である。
【先行技術文献】
【特許文献】
【０００４】
【特許文献１】特開２０１１−０７１６９７号公報
【発明の概要】
【発明が解決しようとする課題】
【０００５】
しかしながら、長押し操作の確定後に最初の信号を送信する方式のリモコン送信器においては、被制御対象の機器が実際に動作を開始するまでに時間がかかるという課題がある。特に、リモコン送信器を被制御対象の機器の方に向けていないような場合、被制御対象の機器が動作を開始するまで、もたついてしまうことがある。
また、長押し操作の確定後に最初の信号を送信することで、リモコン送信器が動作している時間が長くなることから、消費電力が多く、電池の消費を早めてしまうという課題もある。
【０００６】
本発明は、係る事情に鑑みてなされたものであり、被制御対象の機器が実際に動作を開始するまでの時間の短縮化が図れるとともに、低消費電力化が図れるリモコン送信器を提供することを目的とする。
【課題を解決するための手段】
【０００７】
本発明のリモコン送信器は、長押しが可能な操作ボタンと、前記操作ボタンの操作に応じて、少なくとも最初の信号と最後の信号とを含み所定の機能を実行させるための複数の信号の送信を制御する送信制御部と、を備え、前記送信制御部は、前記操作ボタンの操作後、前記操作ボタンの長押しが確定される長押し確定時間経過前に前記最初の信号を送信し、前記長押し確定時間経過後に前記最後の信号を送信し、前記長押し確定時間経過前に前記操作ボタンの操作が中断された場合には、前記最後の信号を送信しない。
【０００８】
上記構成において、前記送信制御部は、前記操作ボタンの操作直後に前記最初の信号を送信する。
【０００９】
上記構成において、前記送信制御部は、前記操作ボタンの操作から所定の時間経過後に前記最初の信号を送信する。
【００１０】
上記構成において、前記最後の信号の送信完了を報知する報知手段を備え、前記送信制御部は、前記最後の信号を送信した後に前記報知手段を起動する。
【００１１】
上記構成において、前記報知手段は、液晶表示部である。
【００１２】
本発明の照明装置は、上記リモコン送信器と、該リモコン送信器から送信された信号を受信することで動作する照明器具と、を備えている。
【発明の効果】
【００１３】
本発明によれば、被制御対象の機器が実際に動作を開始するまでの時間の短縮化が図れるとともに、低消費電力化が図れる。
【図面の簡単な説明】
【００１４】
【図１】本発明の実施の形態１に係るリモコン送信器を用いた照明装置の外観を示す図
【図２】図１のリモコン送信器の回路構成を示す図
【図３】図１のリモコン送信器の外観を示す図
【図４】図１のリモコン送信器の１５個のスイッチそれぞれの名称と、それぞれを操作した際に出力される信号及び効果を示す図
【図５】図１のリモコン送信器において、長押し可能な操作ボタンである「おまかせボタン」が押下されたときにリモコン送信器から送信される信号を示す図
【図６】図１のリモコン送信器において、「おまかせボタン」が押下されたときの液晶表示部における表示遷移の一例を示す図
【図７】本発明の実施の形態２に係るリモコン送信器において、長押し可能な操作ボタンである「おまかせボタン」が押下されたときにリモコン送信器から送信される信号を示す図
【図８】本発明の実施の形態３に係るリモコン送信器において、長押し可能な操作ボタンである「おまかせボタン」が押下されたときにリモコン送信器から送信される信号を示す図
【図９】長押し可能な操作ボタンが操作されたときの送信信号を示す図
【発明を実施するための形態】
【００１５】
以下、本発明を実施するための好適な実施の形態について、図面を参照して詳細に説明する。
【００１６】
（実施の形態１）
図１は、本発明の実施の形態１に係るリモコン送信器を用いた照明装置の外観を示す図である。また、図２は本実施の形態に係るリモコン送信器の回路構成を示す図である。また、図３は本実施の形態に係るリモコン送信器の外観を示す図である。図１において、照明装置１００は、本実施の形態に係るリモコン送信器１と、照明器具（例えば、ＬＥＤシーリングライト）１０１とから構成される。照明器具１０１は、リモコン送信器１から送信された信号を受信することで動作する。
【００１７】
図２及び図３において、実施の形態１に係るリモコン送信器１は、赤外線信号を送信するための３個のＬＥＤ（Light Emitting Diode）２〜４と、３個のＬＥＤ２〜４をオン・オフするスイッチングトランジスタ５と、３個のＬＥＤ２〜４それぞれに直列に介挿され、電流を制限する抵抗６〜８と、扉部１Ｃ（図３参照）の開閉を検出するための扉開閉スイッチＳＷ０と、調光・調色等の照明器具１０１を制御するための１５個のスイッチＳＷ１〜ＳＷ７，ＳＷ−Ａ〜ＳＷ−Ｈと、これらのスイッチＳＷ１〜ＳＷ７，ＳＷ−Ａ〜ＳＷ−Ｈそれぞれの操作に応じた信号を生成し、生成した信号に応じてスイッチングトランジスタ５をオン・オフして、３個のＬＥＤ２〜４から赤外線信号を送信する送信制御部１０と、送信制御部１０の状態を表示する液晶表示部１１とを備える。
【００１８】
３個のＬＥＤ２〜４は、図示の通り、並列に接続されており、赤外線信号を同時に送信する。３個のＬＥＤ２〜４は、それぞれ異なる向きに配置されて、様々な角度での送信を可能にしている。図４は、実施の形態１に係るリモコン送信器１の１５個のスイッチＳＷ１〜ＳＷ７，ＳＷ−Ａ〜ＳＷ−Ｈそれぞれの名称と、それぞれを操作した際に出力される信号及び効果を示す図である。スイッチＳＷ−Ａ〜ＳＷ−Ｈにおいては、扉開閉スイッチＳＷ０がオン（ＯＮ）のときと、オフ（ＯＦＦ）のときとで名称が変わるとともに、出力される信号及び効果も変わる。スイッチＳＷ１〜ＳＷ７においては、扉開閉スイッチＳＷ０のオン・オフによる変化はない。扉開閉スイッチＳＷ０は、図３に示すリモコン送信器１の下端側にある扉部１Ｃの開閉に応じてオン・オフするスイッチであり、扉部１Ｃが閉じているときにはオンになり、開くとオフになる。
【００１９】
スイッチＳＷ１は「普段ボタン」、スイッチＳＷ２は「消灯ボタン」、スイッチＳＷ３は「常夜灯ボタン」、スイッチＳＷ４は「調色白い色ボタン」、スイッチＳＷ５は「調色暖かい色ボタン」、スイッチＳＷ６は「調光明ボタン」、スイッチＳＷ７は「調光暗ボタン」である。これらのスイッチＳＷ１〜ＳＷ７のそれぞれを押下することで、それぞれに対応する信号がリモコン送信器１から送信される。照明器具１０１がリモコン送信器１からの信号を受信することで、該信号に対応する動作を行う。例えば、スイッチＳＷ１を押下することで、リモコン送信器１から「普段信号」が送信され、この「普段信号」を照明器具１０１が受信することで、「普段モード」の動作を行う。
【００２０】
スイッチＳＷ−Ａは、扉開閉スイッチＳＷ０のオンのときに「くつろぎボタン」となり、扉開閉スイッチＳＷ０のオフのときに「おやすみボタン」となる。スイッチＳＷ−Ｂは、扉開閉スイッチＳＷ０のオンのときに「シアターボタン」となり、扉開閉スイッチＳＷ０のオフのときに「チャンネルボタン」となる。スイッチＳＷ−Ｃは、扉開閉スイッチＳＷ０のオンのときに「エコナビボタン」となり、扉開閉スイッチＳＷ０のオフのときに「環境設定ボタン」となる。スイッチＳＷ−Ｄは、扉開閉スイッチＳＷ０のオフのときにのみ「明るさ調整ボタン」となる。スイッチＳＷ−Ｅは、扉開閉スイッチＳＷ０のオンのときに「すっきりボタン」となり、扉開閉スイッチＳＷ０のオフのときに「るすばんボタン」となる。スイッチＳＷ−Ｆは、扉開閉スイッチＳＷ０のオンのときに「勉強ボタン」となり、扉開閉スイッチＳＷ０のオフのときに「時間設定ボタン」となる。スイッチＳＷ−Ｇは、扉開閉スイッチＳＷ０のオンのときに「おまかせボタン」となり、扉開閉スイッチＳＷ０のオフのときに「△ボタン」となる。スイッチＳＷ−Ｈは、扉開閉スイッチＳＷ０のオフのときにのみ「▽ボタン」となる。
【００２１】
スイッチＳＷ−Ａ〜ＳＷ−Ｈを押下することで、それぞれに対応する信号がリモコン送信器１から送信される。照明器具１０１がリモコン送信器１からの信号を受信することで、当該信号に対応する動作を行う。例えば、扉開閉スイッチＳＷ０のオンのときに、スイッチＳＷ−Ａを押下することで、リモコン送信器１から「くつろぎ信号」が送信され、この「くつろぎ信号」を照明器具１０１が受信することで、「くつろぎモード」の動作を行う。また、扉開閉スイッチＳＷ０のオフのときに、スイッチＳＷ−Ａを押下することで、リモコン送信器１にて「おやすみタイマ」がセットされ、タイマタイムアップ時に「消灯信号」が送信される。また、扉開閉スイッチＳＷ０のオンのときに、スイッチＳＷ−Ｅを押下することで、リモコン送信器１から「すっきり信号」が送信され、この「すっきり信号」を照明器具１０１が受信することで、「すっきりモード」の動作を行う。また、扉開閉スイッチＳＷ０のオフのときに、スイッチＳＷ−Ｅを押下することで、リモコン送信器１にて「るすばんタイマ」がセットされ、るすばん設定時間に「普段信号」又は「消灯信号」が送信される。また、扉開閉スイッチＳＷ０のオンのときに、スイッチＳＷ−Ｇを押下することで、リモコン送信器１から「おまかせ信号」が送信され、この「おまかせ信号」を照明器具１０１が受信することで、「おまかせモード」の動作を行う。また、扉開閉スイッチＳＷ０のオフのときに、スイッチＳＷ−Ｇを押下することで、リモコン送信器１にて時間が進められる。
【００２２】
特に、実施の形態１に係るリモコン送信器１では、照明器具１０１を「おまかせモード」に移行させるには、扉開閉スイッチＳＷ０のオンのときに、スイッチＳＷ−Ｇを所定時間継続して押下するようにしている。スイッチＳＷ−Ｇを所定時間継続して押下することを「長押し」と言う。長押しが確定される長押し確定時間は、例えば１．５秒である。この根拠は、人が意識して長押しするのは１秒以上であり、これより早すぎると誤動作し、遅すぎると使い勝手が悪くなるからで、このことを考慮して１〜２秒の範囲内としている。なお、長押しによるモード設定は、「おまかせモード」以外のモードにおいても可能である。
【００２３】
次に、実施の形態１に係るリモコン送信器１の動作について説明する。
図５は、実施の形態１に係るリモコン送信器１において、長押し可能な操作ボタンである「おまかせボタン（スイッチＳＷ−Ｇ）」が押下されたときにリモコン送信器１から送信される信号を示す図である。同図において、実施の形態１に係るリモコン送信器１では、信号Ｓ１を「おまかせ信号」、信号Ｓ２を「現在時刻秒信号」、信号Ｓ３を「現在時刻時間信号」、信号Ｓ４を「現在時刻分信号」、信号Ｓ５を「朝時刻時間信号」、信号Ｓ６を「朝時刻分信号」、信号Ｓ７を「普段時刻時間信号」、信号Ｓ８を「普段時刻分信号」、信号Ｓ９を「夜時刻時間信号」、信号Ｓ１０を「夜時刻分信号」、信号Ｓ１１を「最終信号」としている。
【００２４】
さて、「おまかせボタン」を押下すると（操作開始時刻ｔ１）、送信制御部１０は、スイッチＳＷ−Ｇの押下を検出し、最初のおまかせ信号Ｓ１を赤外線信号として送信する。その後、スイッチＳＷ−Ｇが継続して押下されていれば、おまかせ信号Ｓ１に続く現在時刻秒信号Ｓ２から最終信号Ｓ１１を順次送信する。ここで、おまかせ信号Ｓ１から最終信号Ｓ１１までの各信号の周期を１５０ｍ秒とした場合、最初のおまかせ信号Ｓ１から最後の最終信号Ｓ１１までの全信号送信時間は１．６５秒（１５０ｍ秒×１１）となる。最終信号Ｓ１１を送信するまでの時間（操作開始時刻ｔ１から長押し確定時刻ｔ２までの長押し確定時間の１．５秒（１５０ｍ秒×１０））継続してスイッチＳＷ−Ｇが押下された場合にのみ全信号が送信されて、照明器具１０１で「おまかせモード」が確定する。
【００２５】
送信制御部１０は、最終信号Ｓ１１を送信した後、液晶表示部１１に最終信号Ｓ１１の送信を終えた旨の表示を行う。即ち、ユーザに最終信号Ｓ１１の送信完了を報知する。なお、最終信号Ｓ１１の送信完了の報知は液晶表示部１１で行う以外に、例えばブザー、バイブレータ、ＬＥＤなどで行うようにしてもよい。
【００２６】
図６は、実施の形態１に係るリモコン送信器１において、「おまかせボタン（スイッチＳＷ−Ｇ）」が押下されたときの液晶表示部１１における表示遷移の一例を示す図である。この図において、（ａ）では、「現在時刻」、「るすばん」及び「おやすみ」が表示されている。（ｂ）では、「チャンネル（ＣＨ１）」、「るすばん」及び「おやすみ」が表示されており、これは「おまかせボタン（スイッチＳＷ−Ｇ）」が押下されている間の表示である。続いて、（ｃ）では、「おまかせ」及び「「朝」時刻設定」が表示されており、これは「おまかせボタン（スイッチＳＷ−Ｇ）」が離されてから２秒間、点灯する。続いて、（ｄ）では、「おまかせ」及び「「普段」時刻設定」が表示されており、これは２秒間、点灯する。続いて、（ｅ）では、「おまかせ」及び「「夜」時刻設定」が表示されており、これは２秒間、点灯する。（ｅ）の表示が２秒間行われた後、（ａ）の現在時刻表示に戻る。
【００２７】
送信制御部１０は、最終信号Ｓ１１を送信するまでの長押し確定時間内にスイッチＳＷ−Ｇが離されたことを検出すると（即ち、長押しが途中で解除されたことを検出すると）、その時点で信号送信を停止する。なお、最終信号Ｓ１１が照明器具１０１の動作において重要な信号である場合（即ち、例えば照明器具１０１が最終信号Ｓ１１を受信することではじめて動作するような場合）、長押しが途中で解除されたときに、少なくとも最終信号Ｓ１１は送信しないようにすればよい。また、照明器具１０１において、最終信号Ｓ１１が送信されて来ない場合は、それまで受信したおまかせ信号Ｓ１〜夜時刻分信号Ｓ１０を廃棄するようすればよい。
【００２８】
被制御対象の機器である照明器具１０１は、おまかせ信号Ｓ１から最終信号Ｓ１１を受信すると、おまかせ信号Ｓ１から最終信号Ｓ１１が「おまかせモード」の信号であると認識し、「おまかせモード」の動作を行う。このように、長押しが確定されてから最初のおまかせ信号Ｓ１を送信するのではなく、長押しが可能な操作ボタンであるスイッチＳＷ−Ｇが押下された時点で最初のおまかせ信号Ｓ１を送信し、スイッチＳＷ−Ｇにおける長押しが確定された後に最終信号Ｓ１１を送信する。このようにすることにより、照明器具１０１が実際に動作を開始するまでの時間の短縮化が図れる。そして、リモコン送信器１が照明器具１０１の方に向いていなかった場合でも、もたつくこと無く、照明器具１０１を動作させることが可能となる。また、照明器具１０１が動作を開始するまでの時間の短縮化が図れることで省電力化も可能となる。また、長押しが確定される前に長押しが解除された場合にはその時点で信号の送信を停止するので、照明器具１０１の不要な動作を防止できる。
【００２９】
このように実施の形態１に係るリモコン送信器１によれば、長押しが可能な操作ボタンであるスイッチＳＷ−Ｇが押下された時点で最初のおまかせ信号Ｓ１を送信し、長押し確定時間経過後に最終信号Ｓ１１を送信し、長押し確定時間経過前にスイッチＳＷ−Ｇの操作が中断された場合には信号送信を停止するので、照明器具１０１の不要な動作を起こさせること無く、照明器具１０１の動作開始までの時間の短縮化が図れる。また、照明器具１０１の動作開始までの時間の短縮化が図れることで省電力化も可能となる。
【００３０】
（実施の形態２）
前述した実施の形態１に係るリモコン送信器１は、長押しが可能な操作ボタンであるスイッチＳＷ−Ｇが押下された時点で最初のおまかせ信号Ｓ１を送信するものであったが、本発明の実施の形態２に係るリモコン送信器は、長押しが可能な操作ボタンであるスイッチＳＷ−Ｇが押下された時点から所定時間経過後に最初のおまかせ信号Ｓ１を送信するものである。なお、実施の形態２に係るリモコン送信器の回路構成及び外観は、図２及び図３と同様であるので、これらの図を援用することとする。この場合、実施の形態２に係るリモコン送信器には符号１Ａを付し、送信制御部には１０Ａを付すこととする。
【００３１】
図７は、実施の形態２に係るリモコン送信器１Ａにおいて、長押し可能な操作ボタンである「おまかせボタン（スイッチＳＷ−Ｇ）」が押下されたときにリモコン送信器１Ａから送信される信号を示す図である。同図において、「おまかせボタン」を押下すると、送信制御部１０Ａは、スイッチＳＷ−Ｇの押下を検出し、そのとき（時刻ｔ１）から所定時間（例えば、長押し確定時間を１．５秒とした場合、０．８秒程度）経過した時点で最初のおまかせ信号Ｓ１を赤外線信号として送信する。その後、スイッチＳＷ−Ｇが継続して押下されていれば、おまかせ信号Ｓ１に続く、現在時刻秒信号Ｓ２〜最終信号Ｓ１１の各信号を順次送信する。長押し確定時間継続してスイッチＳＷ−Ｇが押下されて、最終信号Ｓ１１が送信された後、照明器具１０１にて「おまかせモード」が確定する。
【００３２】
送信制御部１０Ａは、最終信号Ｓ１１を送信した後、液晶表示部１１に、最終信号Ｓ１１の送信を終えた旨の表示を行う。即ち、最終信号Ｓ１１の送信完了を報知する。なお、実施の形態２に係るリモコン送信器１Ａでも、最終信号Ｓ１１の送信完了の報知を液晶表示部１１で行う以外に、例えばブザー、バイブレータ、ＬＥＤなどで行うようにしてもよい。
【００３３】
また、送信制御部１０Ａは、長押し確定時間内にスイッチＳＷ−Ｇが離されたことを検出すると（即ち、長押しが途中で解除されたことを検出すると）、その時点で信号送信を停止する。なお、最終信号Ｓ１１が照明器具１０１の動作において重要な信号である場合、即ち、例えば照明器具１０１が最終信号Ｓ１１を受信することではじめて動作するような場合、長押しが途中で解除された場合、少なくとも最終信号Ｓ１１は送信しないようにすればよい。
【００３４】
このように実施の形態２に係るリモコン送信器１Ａによれば、スイッチＳＷ−Ｇが押下された時点から所定時間経過した時点で最初のおまかせ信号Ｓ１を送信し、その後、続けて現在時刻秒信号Ｓ２〜最終信号Ｓ１１を送信し、長押し確定時間経過前（時刻ｔ２より前）にスイッチＳＷ−Ｇの操作が中断された場合には信号送信を停止するので、照明器具１０１の不要な動作を起こさせること無く、照明器具１０１の動作開始までの時間の短縮化が図れる。また、照明器具１０１の動作開始までの時間の短縮化が図れることで省電力化も可能となる。
【００３５】
（実施の形態３）
前述した実施の形態１に係るリモコン送信器１と実施の形態２に係るリモコン送信器１Ａでは、照明器具１０１で「おまかせモード」を実行させるための信号を、おまかせ信号Ｓ１から最終信号Ｓ１１までの１１個の信号で構成したが、本発明の実施の形態３に係るリモコン送信器では、「おまかせモード」を実行させるための信号を、おまかせ信号Ｓ１〜朝時刻分信号Ｓ６及び最終信号Ｓ１１までの７個の信号で構成するとともに、信号個数に合わせて、実施の形態１に係るリモコン送信器１と同様の動作を行うようにしたものである。即ち、「おまかせ信号」が短い場合に対応できるようにしたものである。なお、実施の形態３に係るリモコン送信器の回路構成及び外観は、図２及び図３と同様であるので、これらの図を援用することとする。この場合、実施の形態３に係るリモコン送信器には符号１Ｂを付し、送信制御部には１０Ｂを付すこととする。
【００３６】
図８は、実施の形態３に係るリモコン送信器１Ｂにおいて、長押し可能な操作ボタンである「おまかせボタン（スイッチＳＷ−Ｇ）」が押下されたときにリモコン送信器１Ｂから送信される信号を示す図である。同図において、「おまかせボタン」を押下すると、送信制御部１０Ｂは、スイッチＳＷ−Ｇの押下を検出し、最初のおまかせ信号Ｓ１を赤外線信号として送信する。その後、スイッチＳＷ−Ｇが継続して押下されていれば、おまかせ信号Ｓ１に続く、現在時刻秒信号Ｓ２〜朝時刻分信号Ｓ６の各信号を順次送信する。朝時刻分信号Ｓ６を送信した直後から長押し確定時間が経過するまでの間、時間待ちを行い、その後、最終信号Ｓ１１を送信する。例えば、おまかせ信号Ｓ１〜朝時刻分信号Ｓ６の各信号の周期は１５０ｍ秒なので、おまかせ信号Ｓ１〜朝時刻分信号Ｓ６の全ての送信に要する時間０．９秒（１５０ｍ秒×６＝０．９秒）後に、前述した普段時刻時間信号Ｓ７〜夜時刻分信号Ｓ１０の全ての送信に要する時間０．６秒（１５０ｍ秒×４＝０．６秒）を待った後、最終信号Ｓ１１を送信する。即ち、スイッチＳＷ−Ｇを長押し確定時間１．５秒押し続けた場合に最終信号Ｓ１１を送信する。これにより、照明器具１０１で「おまかせモード」が確定する。
【００３７】
なお、送信制御部１０Ｂは、長押し確定時間内にスイッチＳＷ−Ｇが離されたことを検出すると（即ち、長押しが途中で解除されたことを検出すると）、その時点で信号送信を停止する。なお、最終信号Ｓ１１が照明器具１０１の動作において重要な信号である場合、即ち、例えば照明器具１０１が最終信号Ｓ１１を受信することではじめて動作するような場合、長押しが途中で解除された場合、少なくとも最終信号Ｓ１１は送信しないようにすればよい。
【００３８】
このように実施の形態３に係るリモコン送信器１Ｂによれば、スイッチＳＷ−Ｇが押下された時点で最初のおまかせ信号Ｓ１を送信し、朝時刻分信号Ｓ６を送信した後は長押し確定時間に達するまで時間待ちを行い、長押し確定時間経過後に最終信号Ｓ１１を送信し、長押し確定時間経過前にスイッチＳＷ−Ｇの操作が中断された場合には信号送信を停止するので、照明器具１０１の不要な動作を起こさせること無く、照明器具１０１の動作開始までの時間の短縮化が図れる。また、照明器具１０１の動作開始までの時間の短縮化が図れることで省電力化も可能となる。
【符号の説明】
【００３９】
１，１Ａ，１Ｂ  リモコン送信器
２〜４  ＬＥＤ
５  スイッチングトランジスタ
６〜８  抵抗
１０，１０Ａ，１０Ｂ  送信制御部
１１  液晶表示部
ＳＷ−Ｇ  スイッチ
１００  照明装置
１０１  照明器具
【図１】
2014146923.tif 000003
【図２】
2014146923.tif 000004
【図３】
2014146923.tif 000005
【図４】
2014146923.tif 000006
【図５】
2014146923.tif 000007
【図６】
2014146923.tif 000008
【図７】
2014146923.tif 000009
【図８】
2014146923.tif 000010
【図９】
2014146923.tif 000011